(57)【要約】【課題】  画像形成され現像された記録材料をその表裏を選択して装置上部に排出できるようにした画像記録装置及び排紙装置を提供する。【解決手段】  この画像記録装置は、記録材料に画像を形成する画像形成装置と、画像の形成された記録材料を現像する現像装置と、現像装置からの記録材料を搬送し現像装置の上部に誘導する搬送機構２７ｂと、搬送機構により搬送された記録材料を集積するために現像装置の上部に設けられた集積部６１と、を備え、搬送機構は、現像装置からの記録材料を受けて保持し搬送する搬送部７１と、搬送部を現像装置の上部まで移動させて記録材料を集積部に向けて排出できる移動部８１と、を有し、記録材料の表裏を選択して記録材料を集積部に排出できる。【選択図】  図４
2005121946.tif 000002
【特許請求の範囲】
【請求項１】
記録材料に画像を形成する画像形成装置と、前記画像の形成された記録材料を現像する現像装置と、前記現像装置からの記録材料を搬送し前記現像装置の上部に誘導する搬送機構と、前記搬送機構により搬送された記録材料を集積するために前記現像装置の上部に設けられた集積部と、を備え、
前記搬送機構は、前記現像装置からの記録材料を受けて保持し搬送する第１搬送部と、前記第１搬送部を前記現像装置の上部まで移動させて前記記録材料を前記集積部に向けて排出できる移動部と、を有し、前記記録材料の表裏を選択して前記記録材料を前記集積部に排出できるように構成されたことを特徴とする画像記録装置。
【請求項２】
前記搬送機構は、前記移動部によらずに前記記録材料を前記集積部に向けて別経路で搬送する第２搬送部を有し、前記記録材料の表裏の選択に応じて前記記録材料を前記移動部で搬送するかまたは前記第２搬送部で搬送することを特徴とする請求項１に記載の画像記録装置。
【請求項３】
前記搬送機構は、前記現像装置からの記録材料を前記第１搬送部が受ける位置の上流側に配置され前記記録材料を検知する検知センサと、前記第１搬送部が前記記録材料を受ける位置よりも下方に設けられ前記記録材料をアキューム可能なアキューム部と、を有することを特徴とする請求項２に記載の画像記録装置。
【請求項４】
前記搬送機構は、前記記録材料を前記移動部で搬送する場合、前記第１搬送部が前記記録材料を前記アキューム部にアキュームし、前記検知センサが前記記録材料の後端を検知すると、前記第１搬送部による前記記録材料のアキュームを停め、前記第１搬送部を前記上部に移動させることを特徴とする請求項３に記載の画像記録装置。
【請求項５】
前記搬送機構は、前記別経路の少なくとも一部を構成し開閉可能なアキュームガイドを有し、
前記記録材料を前記移動部で搬送する場合、前記アキュームガイドを開くことで前記記録材料が前記アキューム部にアキュームされることを特徴とする請求項４に記載の画像記録装置。
【請求項６】
前記搬送機構は前記上部の出口近傍に前記記録材料を検知する出口検知センサを備え、前記上部に移動した第１搬送部により前記集積部に向けて排出された前記記録材料の後端を前記出口検知センサが検知すると、前記移動部は前記第１搬送部が前記現像装置からの記録材料を受ける位置に戻るように前記第１搬送部を移動させることを特徴とする請求項１乃至５のいずれか１項に記載の画像記録装置。
【請求項７】
前記搬送部及び前記移動部の各駆動手段がパルスモータから構成され、
前記検知センサ及び／又は前記出口検出センサが透過センサから構成されたことを特徴とする請求項１乃至６のいずれか１項に画像記録装置。
【請求項８】
前記アキュームガイドを回動させる駆動手段がモータから構成されたことを特徴とする請求項５に記載の画像記録装置。
【請求項９】
請求項１乃至８のいずれか１項に記載の搬送機構を含み、
記録材料に画像を形成する画像形成装置と、前記画像の形成された記録材料を現像する現像装置と、前記現像された記録材料を集積するために前記現像装置の上部に設けられた集積部と、を備える画像記録装置に対し着脱可能に構成されたことを特徴とする排紙装置。
【発明の詳細な説明】
【技術分野】
【０００１】
本発明は、本発明は、記録材料に画像を形成し現像する画像記録装置及び画像記録装置に着脱自在な排紙装置に関するものである。
【背景技術】
【０００２】
従来、銀塩カラー感光材料等の記録材料を露光し現像する画像記録装置の現像部から排紙される記録材料は、その裏表がいずれか一方に決まった状態で排出される。例えば、画像の形成された画像形成面が表面の状態の記録材料を搬送ガイドに沿って装置上部に搬送し排出する場合には、記録材料が反転し、画像形成面が裏面になって排出される。画像形成面が裏面で排出されると、画像形成面に傷が付かないように注意が必要であり、また、緊急で画像確認を行いたいようなときには時間の無駄がある等の理由からユーザによっては画像形成面が表面で排出されることを望む場合があった。
【発明の開示】
【発明が解決しようとする課題】
【０００３】
本発明は、上述のような従来技術の問題に鑑み、画像形成され現像された記録材料をその表裏を選択して装置上部に排出できるようにした画像記録装置及び画像記録装置に着脱自在な排紙装置を提供することを目的とする。
【課題を解決するための手段】
【０００４】
上記目的を達成するために、本発明による画像記録装置は、記録材料に画像を形成する画像形成装置と、前記画像の形成された記録材料を現像する現像装置と、前記現像装置からの記録材料を搬送し前記現像装置の上部に誘導する搬送機構と、前記搬送機構により搬送された記録材料を集積するために前記現像装置の上部に設けられた集積部と、を備え、前記搬送機構は、前記現像装置からの記録材料を受けて保持し搬送する第１搬送部と、前記第１搬送部を前記現像装置の上部まで移動させて前記記録材料を前記集積部に向けて排出できる移動部と、を有し、前記記録材料の表裏を選択して前記記録材料を前記集積部に排出できるように構成されたことを特徴とする。
【０００５】
この画像記録装置によれば、記録材料を受けて保持した第１搬送部を現像装置の上部まで移動させてから、記録材料を集積部に向けて排出できるので、記録材料を反転させずに排出可能となる。このため、現像した記録材料を集積部に向けてその表裏を選択して装置上部に排出できるようになる。これにより、例えば画像形成面を表面にすることで、排出された記録材料の画像形成面の確認のための時間を削減でき、また、画像形成面に傷などが付いてしまうことを防ぐことができる。
【０００６】
上記画像記録装置において前記搬送機構は、前記移動部によらずに前記記録材料を前記集積部に向けて別経路で搬送する第２搬送部を有し、前記記録材料の表裏の選択に応じて前記記録材料を前記移動部で搬送するかまたは前記第２搬送部で搬送することができる。これにより、記録材料を別経路で搬送することで反転するか、または、移動部で反転せずに搬送することができる。なお、集積部に排出される記録材料の表裏の選択情報は、ユーザが入力したり、画像データの付帯情報に含ませるようにできる。
【０００７】
また、前記搬送機構は、前記現像装置からの記録材料を前記第１搬送部が受ける位置の上流側に配置され前記記録材料を検知する検知センサと、前記第１搬送部が前記記録材料を受ける位置よりも下方に設けられ前記記録材料をアキューム可能なアキューム部と、を有することが好ましい。
【０００８】
また、前記搬送機構は、前記記録材料を前記移動部で搬送する場合、前記第１搬送部が前記記録材料を前記アキューム部にアキュームし、前記検知センサが前記記録材料の後端を検知すると、前記第１搬送部による前記記録材料のアキュームを停め、前記第１搬送部を前記上部に移動させるように構成できる。
【０００９】
また、前記搬送機構は、前記別経路の少なくとも一部を構成し開閉可能なアキュームガイドを有し、前記記録材料を前記移動部で搬送する場合、前記アキュームガイドを開くことで前記記録材料が前記アキューム部にアキュームされるように構成することが好ましい。
【００１０】
また、前記搬送機構は前記上部の出口近傍に前記記録材料を検知する出口検知センサを備え、前記上部に移動した第１搬送部により前記集積部に向けて排出された前記記録材料の後端を前記出口検知センサが検知すると、前記移動部は前記第１搬送部が前記現像装置からの記録材料を受ける位置に戻るように前記第１搬送部を移動させることが好ましい。
【００１１】
また、前記搬送部及び前記移動部の各駆動手段がパルスモータから構成され、前記検知センサ及び／又は前記出口検出センサが透過センサから構成されることが好ましい。また、前記アキュームガイドを回動させる駆動手段がモータから構成されることが好ましい。
【００１２】
本発明による排紙装置は、上述の搬送機構を含み、記録材料に画像を形成する画像形成装置と、前記画像の形成された記録材料を現像する現像装置と、前記現像された記録材料を集積するために前記現像装置の上部に設けられた集積部と、を備える画像記録装置に対し着脱可能に構成されたことを特徴とする。
【００１３】
この排紙装置によれば、画像記録装置に付属させることで、記録材料を受けて保持した第１搬送部を現像装置の上部まで移動させてから、記録材料を集積部に向けて排出できるので、記録材料を反転させずに排出可能となる。このため、現像した記録材料を集積部に向けてその表裏を選択して装置上部に排出できるようになる。また、画像記録装置に着脱可能であるので、画像記録装置において必要に応じて記録材料を集積部に向けてその表裏を選択して排出できる。
【００１４】
なお、上記画像記録装置は画像データに基づいて波長の異なる複数の光源によりシート状の銀塩カラー感光材料を露光し現像するように構成できる。
【発明の効果】
【００１５】
本発明の画像記録装置及び画像記録装置に着脱自在な排紙装置によれば、画像形成され現像された記録材料をその表裏を選択して装置上部に排出できるようになる。
【発明を実施するための最良の形態】
【００１６】
以下、本発明を実施するための最良の形態について図面を用いて説明する。図１は本実施の形態による画像記録装置全体の外観を示す斜視図である。図２は図１の画像記録装置の内部を正面側から見た図である。
【００１７】
図１、図２に示すように、画像記録装置１は、印刷出力対象の絵柄、色調、文章、文字等の確認を行うためのカラープルーフ（校正用サンプル）を作成するものであって、記録材料である銀塩カラー感光材料（以下、単に「感光紙」ともいう。）に露光し画像を形成する露光ユニット１１と、露光された感光紙を現像する現像ユニット２１と、を備える。
【００１８】
露光ユニット１１は、図１，図２のように、前面からメンテナンスできるように開閉可能な前面パネル５と、各種情報の表示とタッチパネルからなり装置全体の操作のために各種情報が入力可能な入力表示部２と、内部に未露光のシート状の感光紙をロール状に巻回して収容したカートリッジ１３を給紙カバー３，４の開放後に装填可能な装填部１２，１２’と、を備える。
【００１９】
現像ユニット２１は、メンテナンスのために開閉可能な上面パネル６と、前面には、現像処理液等の補充等のために開閉可能に設けられた補給パネル７と、を備える。
【００２０】
図２に示すように、画像記録装置１の露光ユニット１１は、内部にロール状に巻かれた感光紙を収容したカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、装置外部から入力した網点画像データに基づいてドラム１０上の感光紙に対しＬＥＤ光等の光ビームを露光する光学ユニット１６と、光学ユニット１６を副走査のために副走査方向（図２の紙面垂直方向）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００２１】
図２の画像記録装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２２】
また、搬送ローラ対４２の下流側近傍に配置された比較的幅狭の従動ローラ４３は感光紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２３】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００２４】
図２の現像ユニット２１は、露光ユニット１１から送られた露光後の感光紙について湿式現像を行い、感光紙を乾燥してから外部へと排出するもので、感光紙の現像処理を行う現像部２３と、定着処理を行う定着部２４と、安定処理を行う安定部２５と、安定処理後の感光紙を乾燥させる乾燥処理を行う乾燥部２６と、排出ローラ対２６ａで外部に向け排出された乾燥後の感光紙を装置上面へと搬送し排紙する搬送ユニット２７と、を備える。感光紙は、搬送ユニット２７から装置上面２１ａに設けられたトレイ状の集積部６１へと排出される。
【００２５】
図１，図２の搬送ユニット２７について図３、図４を参照して説明する。図３は図１，図２の現像ユニットに取り付けられた搬送ユニットを概略的に示す要部正面図である。図４は図３の搬送ローラ対を上下動させるための上下動機構を示す要部正面図である。
【００２６】
図１乃至図４に示すように、搬送ユニット２７は、その筐体２７ａが現像ユニット２１の側面上部に取り付けられており、筐体２７ａの内部に感光紙の搬送機構２７ｂが設けられている。
【００２７】
図３のように、搬送ユニット２７の搬送機構２７ｂは、現像ユニット２１の排出ローラ対２６ａ（図２）から排出された乾燥後の感光紙Ｓの入口７０と、入口７０から入った感光紙を搬送しパルスモータＭ１（図５）の駆動により正逆回転可能な搬送ローラ対７１と、入口７０と搬送ローラ対７１との間で感光紙Ｓの先端Ｓ１，後端Ｓ２を検知できるように配置された発光部と受光部から構成された透過型の入口光センサ７８と、感光紙を搬送ガイド７６に沿って上方に搬送し上部の出口８０から排出するローラ対７３，７４と、搬送ガイド７６の一部を構成するアキュームガイド７５を図３の破線の位置との間でモータＭ２（図５）で回動し開閉する回動軸７２と、感光紙Ｓをアキュームするためにアキュームガイド７５の下方に形成されたアキューム部７７と、を備える。
【００２８】
搬送機構２７ｂは、更に、図３，図４のように、搬送ローラ対７１を図３の入口７０の近傍位置と上部の出口８０の近傍位置との間で移動させる上下動機構８１と、ローラ対７４及び上方に移動したときの搬送ローラ対７１の下流側近傍で出口８０の手前側近傍に感光紙Ｓの先端Ｓ１，後端Ｓ２を検知できるように配置された発光部と受光部から構成された透過型の出口光センサ７９と、を備える。
【００２９】
上下動機構８１は、図４のように、搬送ローラ対７１を一体的に内部に組み込んでスライドレール８６に沿って上下移動可能な移動ユニット８５と、移動ユニット８５を上下動させるために移動ユニット８５に固定され小孔のあるベルト８４と、従動ギヤ８３との間でベルト８４を無端状に掛け渡してベルト８４の小孔と噛み合いパルスモータＭ３（図５）により回転駆動されてベルト８４を移動させる駆動ギヤ８２と、を備える。
【００３０】
上下動機構８１により上下動されて感光紙を上部へと搬送する搬送ローラ対７１が第１搬送部を構成し、搬送ガイド７６を通して感光紙を上部へと搬送するローラ対７３，７４が第２搬送部を構成する。
【００３１】
図３，図４の搬送機構２７ｂは、第１搬送部において入口７０から入った感光紙をアキューム部７７にいったん蓄積してから搬送ローラ対７１が挟んで保持した状態で上下動機構８１が搬送ローラ対７１を上部に移動させて出口８０から排出することで感光紙を反転させずに排出でき、また、第２搬送部において搬送ガイド７６を通してローラ対７３，７４で感光紙を搬送し出口８０から排出することで反転させて排出できる。このように、現像された感光紙を第１搬送部または第２搬送部により表裏を選択して集積部６１へと排出できる。
【００３２】
次に、図１乃至図４の画像記録装置の制御系について図４を参照して説明する。図５は図１〜図４の画像記録装置１の露光ユニット１１における画像データの流れ及び画像記録装置１の制御系のブロック図である。
【００３３】
図５に示すように、図１〜図４の画像記録装置１は、カラープルーフを作成するために外部の画像処理装置であるＲＩＰ(Raster Image Processor)４９でラスターデータから網点画像データを作成し、この網点画像データがＲＩＰ４９から露光ユニット１１に転送されるようになっている。
【００３４】
露光ユニット１１は、図５のように、外部のＲＩＰ４９からの網点画像データが転送部４９ａを介して入力する画像データＩ／Ｆ部５２と、画像データＩ／Ｆ部５２からの網点画像データをいったん記憶し随時出力するハードディスク記憶装置等からなるデータバッファ５３と、データバッファ５３からの網点画像データに基づいて感光紙に対する露光のための露光データを作成するルックアップテーブル５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３５】
各ＬＥＤユニット３２０〜３２２等が図２の光学ユニット１６内に含まれ、網点画像データに基づいて図２のドラム１０上の感光紙に対し光ビームを露光することで画像を記録する。
【００３６】
図５の制御部５０は、中央演算処理装置（ＣＰＵ）等から構成され、入口光センサ７８及び出口光センサ７９から各信号が入力し、搬送ローラ対７１用パルスモータＭ１，回動軸７２を回動させるためのアキュームガイド開閉用モータＭ２，駆動ギヤ８２用パルスモータＭ３、ローラ対７３，７４用パルスモータＭ４及び他の装置部分を制御する。排出される感光紙の画像形成面の表裏情報が入力表示部２から入力されて選択され制御部５０に対し指定できる。
【００３７】
次に、図１乃至図５の画像記録装置１における動作について図６のフローチャートを参照して説明する。
【００３８】
まず、外部のＲＩＰ４９から転送された網点画像データが入力し（Ｓ０１）、一方、排出される感光紙の画像形成面を表面または裏面にするかの表裏情報を入力表示部２から入力し指定する（Ｓ０２）。そして、感光紙を装填部１２または１２’内のカートリッジ１３から搬送し、ドラム１０に吸着させドラム１０を回転させながら光学ユニット１６から光ビームを画像データに基づいて露光する（Ｓ０３）。
【００３９】
次に、図２のように、露光により感光した感光紙をドラム１０から剥離位置にある剥離部材１５で剥離し、アキュームガイド部材１８でガイドしながら搬送ローラ対３２等で出口１９へと搬送し（Ｓ０４）、接続部１９ａから現像ユニット２１へと送り、感光紙の現像処理を行ってから（Ｓ０５）、排出ローラ対２６ａ等で図３の排出方向Ｔに搬送し、入口７０から感光紙が搬送ユニット２７内に入る（Ｓ０６）。なお、現像処理された感光紙Ｓの図３の入口７０における上面側が画像の形成された画像形成面である。
【００４０】
ここで、ステップＳ０２で指定された表裏情報に基づいて、排出される感光紙の画像形成面を表面にするか裏面にするかを判断し（Ｓ０７）、排出される感光紙の画像形成面を表面にする場合には、アキュームガイド開閉用モータＭ２が作動し回動軸７２を回動させることで、アキュームガイド７５を図３の破線位置まで回動させて開く（Ｓ０８）。なお、このアキュームガイド７５の開放動作は上記ステップＳ０２の後に上記露光や上記現像の間に実行するようにしてもよい。
【００４１】
上述のように、入口７０から入り込んだ感光紙Ｓを入口光センサ７８が先端Ｓ１で検知すると、パルスモータＭ１が作動し、図３の実線位置で待機している搬送ローラ対７１が正回転し感光紙Ｓを受けて挟み込んで内部へと搬送するが、このとき、図３の破線のように、アキュームガイド７５が開いているので、感光紙Ｓがその先端Ｓ１からアキューム部７７へと送り込まれ、アキューム部７７にアキュームされる（Ｓ０９）。
【００４２】
上述の感光紙Ｓのアキュームが進んで、入口光センサ７８が感光紙Ｓの後端Ｓ２を検知すると（Ｓ１０）、パルスモータＭ１が停止し、搬送ローラ対７１が回転を停めて感光紙Ｓを後端Ｓ２で挟んだ状態で感光紙Ｓのアキュームが停止する。
【００４３】
次に、パルスモータＭ３が作動し図４の駆動ギヤ８２が回転することで、図４の実線位置から搬送ローラ対７１を含む移動ユニット８５が上昇し（Ｓ１１）、図の上方の破線で示す出口８０の近傍位置で停止する。
【００４４】
次に、パルスモータＭ１が作動し、図４の破線位置の出口８０の近傍位置にある搬送ローラ対７１を逆回転させることで、感光紙Ｓを先端が逆となって先端Ｓ２から出口８０を通して集積部６１へと排出する（Ｓ１２）。そして、出口光センサ７９が感光紙Ｓの後端Ｓ１を検知すると（Ｓ１３）、感光紙Ｓの排出が完了したことを確認でき、パルスモータＭ１を停止させ、搬送ローラ対７１の回転を停める。このようにして感光紙Ｓはその画像形成面が表面となって集積部６１に集積される。
【００４５】
次に、パルスモータＭ３が作動し図４の駆動ギヤ８２が逆回転することで、図４の上方の破線位置から搬送ローラ対７１を含む移動ユニット８５を下降させる（Ｓ１４）。これにより、移動ユニット８５は搬送ローラ対７１とともに図４の実線の初期位置に戻り、次の感光紙の搬送に備える。
【００４６】
一方、排出される感光紙の画像形成面を裏面にする場合（Ｓ０７）、アキュームガイド７５が開いているときは、アキュームガイド開閉用モータＭ２が作動し回動軸７２を回動させることで、アキュームガイド７５を図３の実線位置まで回動させて閉める（Ｓ１５）。
【００４７】
なお、このアキュームガイド７５の閉動作は、上記ステップＳ０２で画像形成面を裏面にして排出することを選択した後に上記露光や上記現像の間に実行するようにしてもよく、また、上記ステップＳ１４のときに実行してもよい。
【００４８】
次に、入口７０から入り込んだ感光紙Ｓを入口光センサ７８が先端Ｓ１で検知すると、パルスモータＭ１が作動し、図３の実線位置で待機している搬送ローラ対７１が正回転し感光紙Ｓを受けて挟み込んで内部へと搬送するが、このとき、図３の実線のように、アキュームガイド７５が閉じているので、感光紙Ｓは搬送ガイド７６に沿って搬送され、更にパルスモータＭ４が作動し、ローラ対７３，７４が回転することで上部へと搬送される（Ｓ１６）。
【００４９】
上述のようにして搬送された感光紙はローラ対７４から出口８０を通して集積部６１へと排出される（Ｓ１７）。そして、出口光センサ７９が感光紙Ｓの後端Ｓ２を検知すると、感光紙Ｓの排出が完了したことを確認でき、パルスモータＭ４を停止させ、ローラ対７３，７４の回転を停める。このようにして感光紙Ｓはその画像形成面が裏面となって集積部６１に集積される。
【００５０】
以上のように、本実施の形態によれば、画像記録装置１の現像ユニット２１で現像され乾燥された感光紙が排出ローラ対２６ａで現像ユニット２１から搬送ユニット２７に送り込まれると、排出される感光紙の画像形成面を表面または裏面にするかの表裏情報に基づいて、表面で排出する場合、感光紙をいったんアキューム部７７にアキュームしてから、搬送ローラ対７１を感光紙を保持して上部に移動させて集積部６１に排出することで、反転させずに排出でき、画像形成面が表になる。また、裏面で排出する場合、搬送ガイド７６を通してローラ対７３，７４で集積部６１に排出することで、反転させて排出でき、画像形成面が裏になる。このようにして、現像した感光紙を集積部６１に向けその表裏を選択して装置上部に排出でき、感光紙の排出の表裏選択がユーザにより指定可能となる。
【００５１】
これにより、例えば感光紙の画像形成面を表面にすることで、カラープルーフの場合は、排出された感光紙の画像形成面の確認・検査のための時間を短縮でき、また、画像形成面に傷などが付いてしまうことを防ぐことができる。
【００５２】
なお、図３、図４の搬送ユニット２７を排紙装置として現像ユニット２１に対し排出ローラ対２６ａの位置を基準に着脱自在に構成するようにしてもよく、必要に応じて、取り外して画像記録装置を使用でき、また、既存の画像記録装置に取り付けることもできる。
【００５３】
以上のように本発明を実施するための最良の形態について説明したが、本発明はこれらに限定されるものではなく、本発明の技術的思想の範囲内で各種の変形が可能である。例えば、図３の入口光センサ７８，出口光センサ７９は透過型の光センサであるが、反射型の光センサであってもよい。また、パルスモータＭ１，Ｍ３，Ｍ４は他の種類のモータであってもよい。
【００５４】
また、図６では排出される感光紙の画像形成面を表面または裏面にするかの表裏情報はユーザが入力表示部２から入力し指定するようにしたが、本発明はこれに限定されずに、例えば、ＲＩＰ４９からの画像データの付帯情報に含ませておき、この付帯情報に基づいて制御部５０が感光紙の画像形成面を表面または裏面にして排出するかを選択して制御するようにしてもよい。
【００５５】
また、アキューム部７７は、図３のように底部に感光紙を蓄積するようにしてよいが、図４のように、底部がなくてもよく、感光紙が装置の下方に垂れ下がるようにしてアキュームしてもよい。
【図面の簡単な説明】
【００５６】
【図１】本実施の形態による画像記録装置全体の外観を示す斜視図である。
【図２】図１の画像記録装置の内部を正面側から見た図である。
【図３】図１，図２の現像ユニットに取り付けられた搬送ユニットを概略的に示す要部正面図である。
【図４】図３の搬送ローラ対を上下動させるための上下動機構を示す要部正面図である。
【図５】図１〜図４の画像記録装置１の露光ユニット１１における画像データの流れ及び画像記録装置１の制御系のブロック図である。
【図６】図１乃至図５の画像記録装置１における動作を説明するためのフローチャートである。
【符号の説明】
【００５７】
１ 画像記録装置
２ 入力表示部
１１ 露光ユニット（画像形成装置）
２１ 現像ユニット（現像装置）
２１ａ 装置上面
２６ａ 排出ローラ対
２７ 搬送ユニット（排紙装置）
２７ａ 筐体
２７ｂ 搬送機構
５０ 制御部
６１ 集積部
７０ 入口
７１ 搬送ローラ対（第１搬送部）
７２ 回動軸
７３，７４ローラ対（第２搬送部）
７５ アキュームガイド
７６ 搬送ガイド
７７ アキューム部
７８ 入口光センサ
７９ 出口光センサ
８０ 出口
８１ 上下動機構（移動部）
８５ 移動ユニット
８６ スライドレール
Ｍ１，Ｍ３，Ｍ４ パルスモータ
Ｍ２ アキュームガイド開閉用モータ
Ｓ 感光紙
【図１】
2005121946.tif 000003
【図２】
2005121946.tif 000004
【図３】
2005121946.tif 000005
【図４】
2005121946.tif 000006
【図５】
2005121946.tif 000007
【図６】
2005121946.tif 000008